(57)【要約】【課題】室内熱交換器で凝縮水が発生しない暖房運転時においても、室内熱交換器の洗浄を行うことができるようにする。【解決手段】イオン化ユニット（25）により空気中の塵埃を帯電させ、帯電させた塵埃を室内熱交換器（20）に付着させる。冷房運転時には室内熱交換器（20）で発生した凝縮水で塵埃を除去する一方、暖房運転時には室外熱交換器（51）で発生した凝縮水を洗浄水として水供給ユニット（60）により室内熱交換器（20）に供給して塵埃を除去する。【選択図】図１
2007178099.tif 000002
【特許請求の範囲】
【請求項１】
室内熱交換器（20）を有する室内機（10）と、室外熱交換器（51）を有する室外機（50）とを備えた空気調和装置であって、
前記室内熱交換器（20）の上流側に配設され、流入空気中の塵埃を該室内熱交換器（20）に電気的に付着させるべく該塵埃を帯電させるイオン化手段（25）と、
前記室内機（10）外部から洗浄水を導入して該室内熱交換器（20）に供給する水供給手段（60）とを備えたことを特徴とする空気調和装置。
【請求項２】
請求項１において、
前記水供給手段（60）は、前記室外熱交換器（51）で発生した凝縮水を前記洗浄水として前記室内熱交換器（20）に供給するように構成されていることを特徴とする空気調和装置。
【請求項３】
請求項１において、
前記室外機（50）には、室外空気中の水分を凝縮させて凝縮水を生成する凝縮水生成手段（70）が設けられ、
前記水供給手段（60）は、前記凝縮水生成手段（70）で生成した凝縮水を前記洗浄水として前記室内熱交換器（20）に供給するように構成されていることを特徴とする空気調和装置。
【請求項４】
請求項３において、
前記凝縮水生成手段（70）は、
室外空気中の水分を吸着する吸湿部材（71）と、
前記吸湿部材（71）に吸着した水分を脱離させる加熱手段（72）と、
前記加熱手段（72）で前記吸湿部材（71）より脱離させた水蒸気を凝縮させて凝縮水を生成する凝縮手段（73）とを有することを特徴とする空気調和装置。
【請求項５】
請求項３において、
前記水供給手段（60）は、前記凝縮水生成手段（70）で生成した凝縮水とともに前記室外熱交換器（51）で発生した凝縮水を、前記洗浄水として前記室内熱交換器（20）に供給するように構成されていることを特徴とする空気調和装置。
【請求項６】
請求項１において、
前記室内熱交換器（20）で発生した凝縮水を保管する保管タンク（63）を備え、
前記水供給手段（60）は、前記保管タンク（63）に保管された凝縮水を前記洗浄水として前記室内熱交換器（20）に供給するように構成されていることを特徴とする空気調和装置。
【請求項７】
請求項１において、
前記室内熱交換器（20）は、前記室内機（10）の冷房運転中に、該室内熱交換器（20）で発生する凝縮水により該室内熱交換器（20）に付着した塵埃を除去するように構成される一方、
前記水供給手段（60）は、前記室内機（10）の暖房運転中に、前記洗浄水により前記室内熱交換器（20）に付着した塵埃を除去するように構成されることを特徴とする空気調和装置。
【請求項８】
請求項１において、
前記室内熱交換器（20）の上流側には、放電により活性種を生成する放電手段（30）が配設されていることを特徴とする空気調和装置。
【請求項９】
請求項８において、
前記放電手段（30）は、ストリーマ放電を行うように構成されていることを特徴とする空気調和装置。
【請求項１０】
請求項１において、
前記イオン化手段（25）は、放電極（31）と該放電極（31）に対向する対向極（32）とを備え、
前記放電極（31）及び前記対向極（32）は、空気流れ方向に略直交する方向に放電するように配置されていることを特徴とする空気調和装置。
【請求項１１】
請求項１０において、
前記放電極（31）は、線状に形成されるとともに面状の前記対向極（32）と略平行に配置されていることを特徴とする空気調和装置。
【請求項１２】
請求項１において、
前記水供給手段（60）は、
前記洗浄水を保管する保管タンク（63）と、
前記洗浄水の流路をなす水搬送配管（61）と、
前記保管タンク（63）に保管された前記洗浄水を前記水搬送配管（61）を通して前記室内熱交換器（20）に供給する水搬送ポンプ（62）とを有することを特徴とする空気調和装置。
【請求項１３】
請求項１２において、
前記水搬送配管（61）は、供給側先端部がノズル形状に形成される一方、前記洗浄水の供給方向が変更可能に構成されていることを特徴とする空気調和装置。
【発明の詳細な説明】
【技術分野】
【０００１】
本発明は、室内熱交換器に付着した塵埃を除去するための空気調和装置に関するものである。
【背景技術】
【０００２】
従来より、放電によって空気中の塵埃を荷電し、下流側にある室内熱交換器を接地することにより、帯電した塵埃を室内熱交換器に付着させて処理空気中から塵埃を除去し、この付着した塵埃を室内熱交換器で発生する凝縮水で洗い流すという構造の空気調和装置が知られている（例えば、特許文献１参照）。
【特許文献１】特開平１０−２２７４７７号公報
【発明の開示】
【発明が解決しようとする課題】
【０００３】
しかしながら、従来の空気調和装置では、暖房運転時には室内熱交換器で凝縮水が発生しないため、凝縮水による室内熱交換器の洗浄を行うことができず、室内熱交換器に塵埃が蓄積して空気調和装置の空調性能や省エネ性が損なわれるおそれがあった。
【０００４】
また、塵埃の中に存在するカビや細菌が増殖・飛散し、逆に処理空気を汚染してしまうというおそれがあった。
【０００５】
本発明は、かかる点に鑑みてなされたものであり、その目的は、室内熱交換器で凝縮水が発生しない暖房運転時においても、室内熱交換器の洗浄を行うことができるようにすることにある。
【課題を解決するための手段】
【０００６】
前記の目的を達成するため、本発明では、室内熱交換器（20）に付着した塵埃を除去する洗浄水を該室内熱交換器（20）に供給する水供給手段（60）を設けるようにした。
【０００７】
すなわち、第１の発明は、室内熱交換器（20）を有する室内機（10）と、室外熱交換器（51）を有する室外機（50）とを備えた空気調和装置であって、
前記室内熱交換器（20）の上流側に配設され、流入空気中の塵埃を該室内熱交換器（20）に電気的に付着させるべく該塵埃を帯電させるイオン化手段（25）と、
前記室内機（10）外部から洗浄水を導入して該室内熱交換器（20）に供給する水供給手段（60）とを備えたことを特徴とするものである。
【０００８】
第１の発明では、イオン化手段（25）により流入空気中の塵埃を帯電させると、帯電した塵埃が室内熱交換器（20）に電気的に付着し、水供給手段（60）で供給される洗浄水により除去される。このため、室内熱交換器（20）で凝縮水が発生しない暖房運転時においても、室内熱交換器（20）に付着した塵埃が除去される。
【０００９】
第２の発明は、第１の発明において、
前記水供給手段（60）は、前記室外熱交換器（51）で発生した凝縮水を前記洗浄水として前記室内熱交換器（20）に供給するように構成されていることを特徴とするものである。
【００１０】
第２の発明では、室外熱交換器（51）で発生した凝縮水が洗浄水として室内熱交換器（20）に供給される。このため、暖房運転中に室外熱交換器（51）で発生した凝縮水を洗浄水として利用できる。
【００１１】
第３の発明は、第１の発明において、
前記室外機（50）には、室外空気中の水分を凝縮させて凝縮水を生成する凝縮水生成手段（70）が設けられ、
前記水供給手段（60）は、前記凝縮水生成手段（70）で生成した凝縮水を前記洗浄水として前記室内熱交換器（20）に供給するように構成されていることを特徴とするものである。
【００１２】
第３の発明では、凝縮水生成手段（70）により室外空気中の水分を凝縮させて生成した凝縮水が洗浄水として室内熱交換器（20）に供給される。このため、冷暖房運転中にかかわらず洗浄水を安定的に得ることができる。
【００１３】
第４の発明は、第３の発明において、
前記凝縮水生成手段（70）は、
室外空気中の水分を吸着する吸湿部材（71）と、
前記吸湿部材（71）に吸着した水分を脱離させる加熱手段（72）と、
前記加熱手段（72）で前記吸湿部材（71）より脱離させた水蒸気を凝縮させて凝縮水を生成する凝縮手段（73）とを有することを特徴とするものである。
【００１４】
第４の発明では、吸湿部材（71）で室外空気中の水分が吸着され、加熱手段（72）で吸湿部材（71）に吸着された水分が脱離され、凝縮手段（73）で吸湿部材（71）から脱離した水蒸気が凝縮されて凝縮水が生成される。
【００１５】
第５の発明は、第３の発明において、
前記水供給手段（60）は、前記凝縮水生成手段（70）で生成した凝縮水とともに前記室外熱交換器（51）で発生した凝縮水を、前記洗浄水として前記室内熱交換器（20）に供給するように構成されていることを特徴とするものである。
【００１６】
第５の発明では、凝縮水生成手段（70）で生成された凝縮水とともに室外熱交換器（51）で発生した凝縮水が洗浄水として室内熱交換器（20）に供給される。このため、洗浄水として十分な水量を安定的に得ることができる。
【００１７】
第６の発明は、第１の発明において、
前記室内熱交換器（20）で発生した凝縮水を保管する保管タンク（63）を備え、
前記水供給手段（60）は、前記保管タンク（63）に保管された凝縮水を前記洗浄水として前記室内熱交換器（20）に供給するように構成されていることを特徴とするものである。
【００１８】
第６の発明では、室内熱交換器（20）で発生した凝縮水が保管タンク（63）に保管され、保管タンク（63）に保管された凝縮水が洗浄水として室内熱交換器（20）に供給される。このため、室内熱交換器（20）で発生した凝縮水を洗浄水として再利用することができる。
【００１９】
第７の発明は、第１の発明において、
前記室内熱交換器（20）は、前記室内機（10）の冷房運転中に、該室内熱交換器（20）で発生する凝縮水により該室内熱交換器（20）に付着した塵埃を除去するように構成される一方、
前記水供給手段（60）は、前記室内機（10）の暖房運転中に、前記洗浄水により前記室内熱交換器（20）に付着した塵埃を除去するように構成されることを特徴とするものである。
【００２０】
第７の発明では、室内熱交換器（20）に付着した塵埃が、冷房運転中は室内熱交換器（20）で発生する凝縮水で除去され、暖房運転中は水供給手段（60）から供給される洗浄水で除去される。このため、室内機（10）外部から導入する洗浄水を無駄なく利用することができる。
【００２１】
第８の発明は、第１の発明において、
前記室内熱交換器（20）の上流側には、放電により活性種を生成する放電手段（30）が配設されていることを特徴とするものである。
【００２２】
第８の発明では、室内熱交換器（20）の上流側に放電手段（30）が配設される。このため、室内熱交換器（20）の除菌が行われ、室内熱交換器（20）でカビや細菌が繁殖することを抑制する上で有利となる。
【００２３】
第９の発明は、第８の発明において、
前記放電手段（30）は、ストリーマ放電を行うように構成されていることを特徴とするものである。
【００２４】
第９の発明では、一対の電極の間でストリーマ放電が行われる。このストリーマ放電により空気の絶縁破壊が生じると、空気中で活性種（ラジカル、高速電子、励起分子等）が発生する。ここで、ストリーマ放電は、例えばコロナ放電やグロー放電と比較して活性種の発生領域を高密度且つ広範囲に形成することができる。すなわち、ストリーマ放電は、他の放電と比較して高活性の活性種を多量に生成することができる。従って、放電手段（30）の単位設置スペースあたりの被処理成分の分解効率を向上できる。
【００２５】
第１０の発明は、第１の発明において、
前記イオン化手段（25）は、放電極（31）と該放電極（31）に対向する対向極（32）とを備え、
前記放電極（31）及び前記対向極（32）は、空気流れ方向に略直交する方向に放電するように配置されていることを特徴とするものである。
【００２６】
第１０の発明では、イオン化手段（25）の放電極（31）及び対向極（32）が空気流れ方向に略直交する方向に放電するように配設される。このため、流入空気中の塵埃が確実に帯電される。
【００２７】
第１１の発明は、第１０の発明において、
前記放電極（31）は、線状に形成されるとともに面状の前記対向極（32）と略平行に配置されていることを特徴とするものである。
【００２８】
第１１の発明では、線状の放電極（31）が面状の対向極（32）に略平行に配置される。このため、空気流入面全体にわたって放電が行われ、より確実に流入空気中の塵埃が帯電される。
【００２９】
第１２の発明は、第１の発明において、
前記水供給手段（60）は、
前記洗浄水を保管する保管タンク（63）と、
前記洗浄水の流路をなす水搬送配管（61）と、
前記保管タンク（63）に保管された前記洗浄水を前記水搬送配管（61）を通して前記室内熱交換器（20）に供給する水搬送ポンプ（62）とを有することを特徴とするものである。
【００３０】
第１２の発明では、保管タンク（63）に洗浄水が保管され、水搬送ポンプ（62）により水搬送配管（61）を通して保管タンク（63）内の洗浄水が室内熱交換器（20）に供給される。
【００３１】
第１３の発明は、第１２の発明において、
前記水搬送配管（61）は、供給側先端部がノズル形状に形成される一方、前記洗浄水の供給方向が変更可能に構成されていることを特徴とするものである。
【００３２】
第１３の発明では、水搬送配管（61）の供給側先端部がノズル形状に形成される一方、洗浄水の供給方向が変更可能に構成される。このため、洗浄水が室内熱交換器（20）の全面にわたって供給される。
【発明の効果】
【００３３】
本発明によれば、イオン化手段（25）により流入空気中の塵埃を帯電させると、帯電した塵埃が室内熱交換器（20）に電気的に付着し、水供給手段（60）で供給される洗浄水により除去される。このため、室内熱交換器（20）で凝縮水が発生しない暖房運転時においても、室内熱交換器（20）に付着した塵埃が除去され、空調性能を確保する上で有利となる。
【００３４】
また、前記第２の発明によれば、室外熱交換器（51）で発生した凝縮水が洗浄水として室内熱交換器（20）に供給され、暖房運転中に室外熱交換器（51）で発生した凝縮水を洗浄水として利用できる。
【００３５】
また、前記第３の発明によれば、凝縮水生成手段（70）により室外空気中の水分を凝縮させて生成した凝縮水が洗浄水として室内熱交換器（20）に供給され、冷暖房運転中にかかわらず凝縮水を安定的に得ることができる。
【００３６】
また、前記第４の発明によれば、吸湿部材（71）で室外空気中の水分が吸着され、加熱手段（72）で吸湿部材（71）に吸着された水分が脱離され、凝縮手段（73）で吸湿部材（71）から脱離した水蒸気が凝縮されることで、洗浄水として利用可能な凝縮水を得ることができる。
【００３７】
また、前記第５の発明によれば、凝縮水生成手段（70）で生成された凝縮水とともに室外熱交換器（51）で発生した凝縮水が洗浄水として室内熱交換器（20）に供給され、洗浄水として十分な水量を安定的に得ることができる。
【００３８】
また、前記第６の発明によれば、室内熱交換器（20）で発生した凝縮水が保管タンク（63）に保管され、保管タンク（63）に保管された凝縮水が洗浄水として室内熱交換器（20）に供給され、室内熱交換器（20）で発生した凝縮水を洗浄水として再利用することができる。
【００３９】
また、前記第７の発明によれば、室内熱交換器（20）に付着した塵埃が、冷房運転中は室内熱交換器（20）で発生する凝縮水で除去され、暖房運転中は水供給手段（60）から供給される洗浄水で除去されるから、室内機（10）外部から導入される洗浄水を無駄なく利用することができる。
【００４０】
また、前記第８の発明によれば、室内熱交換器（20）の上流側に放電手段（30）が配設され、室内熱交換器（20）の除菌が行われるから、室内熱交換器（20）でカビや細菌が繁殖することを抑制する上で有利となる。
【００４１】
また、前記第９の発明によれば、ストリーマ放電により空気の絶縁破壊が生じると、空気中で活性種（ラジカル、高速電子、励起分子等）が発生し、他の放電と比較して高活性の活性種を多量に生成することができる。従って、放電手段（30）の単位設置スペースあたりの被処理成分の分解効率を向上できる。
【００４２】
また、前記第１０の発明によれば、イオン化手段（25）の放電極（31）及び対向極（32）が空気流れ方向に略直交する方向に放電するように配設され、流入空気中の塵埃が確実に帯電される。
【００４３】
また、前記第１１の発明によれば、線状の放電極（31）が面状の対向極（32）に略平行に配置され、空気流入面全体にわたって放電が行われるようになり、より確実に流入空気中の塵埃が帯電される。
【００４４】
また、前記第１２の発明によれば、保管タンク（63）に洗浄水が保管され、水搬送ポンプ（62）により水搬送配管（61）を通して保管タンク（63）から室内熱交換器（20）に洗浄水が供給される。
【００４５】
また、前記第１３の発明によれば、水搬送配管（61）の供給側先端部がノズル形状に形成される一方、洗浄水の供給方向が変更可能に構成されるから、洗浄水を室内熱交換器（20）の全面にわたって供給することができる。
【発明を実施するための最良の形態】
【００４６】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００４７】
＜実施形態１＞
図１は本発明の実施形態１に係る空気調和装置の構成を示す概略図である。本実施形態１に係る空気調和装置（100）は、室内空間の側壁に取り付けられる、いわゆる壁掛け式のルームエアコンで構成されている。この空気調和装置（100）は、被処理空気としての室内空気の空気調和と清浄とを同時に行う。
【００４８】
図１に示すように、空気調和装置（100）の室内機（10）は、横長で略直方体形状のケーシング（11）を備えている。ケーシング（11）には、吸込口（12）と吹出口（13）とが形成されている。前記吸込口（12）は、室内空気をケーシング（11）内に取り込むための空気の導入口であり、ケーシング（11）の前面側及び上面側にそれぞれ形成されている。
【００４９】
前記吹出口（13）は、室内機（10）で処理した空気をケーシング（11）内から室内空間へ供給する空気の供給口であり、ケーシング（11）の前面側下部から室内に斜め下向きに空気を供給するように形成されている。
【００５０】
前記ケーシング（11）の内部には、前記吸込口（12）から前記吹出口（13）までの間に被処理空気の流れる空気流路（15）が形成されている。この空気流路（15）には、空気の流れの上流側から下流側に向かって順に、イオン化ユニット（25）、室内熱交換器（20）、及びファン（14）が配置されている。
【００５１】
前記イオン化ユニット（25）は、吸込口（12）から取り込まれた空気中の塵埃を放電により帯電させるものであり、帯電された塵埃が室内熱交換器（20）の表面に付着する。
【００５２】
具体的には、図２に示すように、イオン化ユニット（25）は、放電の基端となる放電極（31）と、放電極（31）に対向する対向極（32）とで構成される。
【００５３】
前記放電極（31）は、線状又は棒状に形成され、空気流れ方向と直交する左右方向に延びている。この放電極（31）は、その線径が約０．２ｍｍのタングステン線で構成されている。前記対向極（32）は、板状又は面状に形成され、放電極（31）と略平行に配置されている。このように、放電極（31）と対向極（32）とが上下方向に交互に複数配設されている。
【００５４】
また、イオン化ユニット（25）は、図示しない高圧の直流電源を備えている。直流電源の正極側は、前記放電極（31）と電気的に接続されている。一方、直流電源の負極側（アース側）は、前記対向極（32）と電気的に接続されている。
【００５５】
以上のような構成のイオン化ユニット（25）では、両電極（31,32）に電圧が印加されると、放電極（31）から対向極（32）に向かって放電が行われ、その結果、空気流入面全体に対していわゆる電子のカーテンが生成されることとなり、流入空気中の塵埃を確実に帯電させる上で有利となる。
【００５６】
なお、図２では、室内機（10）の前面側から流入する空気に対して放電するためのイオン化ユニット（25）の配置についてのみ説明し、室内機（10）の上面側から流入する空気に対するイオン化ユニット（25）の配置の説明を省略しているが同様の構成である。
【００５７】
前記室内熱交換器（20）は、室外機（50）と接続されており、冷媒が循環して冷凍サイクルを行う冷媒回路の一部を構成している。この室内熱交換器（20）は、いわゆるフィンアンドチューブ式の空気熱交換器を構成している。
【００５８】
図１に示すように、空気流路（15）には、２台の熱交換器（21,22）が配置されている。第１熱交換器（21）は、空気流路（15）の前面寄りでその上端部が後面側に傾倒した状態で配置されている。第２熱交換器（22）は、空気流路(15）の後面寄りでその上端部が前面側に傾倒した状態で且つ第１熱交換器（21）の上端部と当接するように配置されている。
【００５９】
前記第１及び第２熱交換器（21，22）のそれぞれの下方には、第１及び第２熱交換器（21，22）で発生した凝縮水を受けるドレンパン（23）が設けられている。このドレンパン（23）には、回収した凝縮水を室外に排水する排水管（24）が接続されている。
【００６０】
前記ファン（14）は、回転動作により室内空気を吸込口（12）からケーシング（11）内に取り込み、室内熱交換器（20）で処理した空気を吹出口（13）から室内空間へ供給するためのものである。
【００６１】
前記空気調和装置（100）の室外機（50）は、室外熱交換器（51）と室外機ファン（52）とを備えている。
【００６２】
前記室外熱交換器（51）の下方には、室外熱交換器（51）で発生した凝縮水を受けるドレンパン（53）が設けられている。このドレンパン（53）には、室内熱交換器（20）に洗浄水を供給する水供給ユニット（60）が接続されている。
【００６３】
前記水供給ユニット（60）は、洗浄水の流路をなす水搬送配管（61）と、室外熱交換器（51）で発生した凝縮水を、水搬送配管（61）を通して室内熱交換器（20）に洗浄水として供給する水搬送ポンプ（62）とを備えている。
【００６４】
前記水搬送配管（61）の供給側先端部は、ノズル形状に形成される一方、洗浄水の供給方向が変更可能に構成されている。このような構成にすれば、ノズルから洗浄水がシャワー状に噴霧され、室内熱交換器（20）の表面全体に洗浄水を供給することができる。さらに、洗浄水の供給方向が変更可能となっていることから、ノズルを首振りさせる等、多様な動きにより室内熱交換器（20）の表面全体に洗浄水を供給する上で有利となる。
【００６５】
なお、図３に示すように、前記水供給ユニット（60）は、凝縮水を一時保管するための保管タンク（63）を備えた構成にしても構わない。この場合には、一定量の凝縮水がたまった後に、水搬送ポンプ（62）により保管タンク（63）から取り出された凝縮水が洗浄水として室内熱交換器（20）に供給される。
【００６６】
−運転動作−
次に、本実施形態の空気調和装置（100）の運転動作について説明する。まず、空気調和装置（100）の冷房運転動作について説明する。
【００６７】
図１に示すように、空気調和装置（100）の運転時には、ファン（14）が運転状態となる。また、直流電源からイオン化ユニット（25）に直流電圧が印加され、イオン化ユニット（25）で放電が行われる。さらに、室内熱交換器（20）の内部には低圧の液冷媒が流通し、この室内熱交換器（20）が蒸発器として機能する。
【００６８】
室内空気が吸込口（12）からケーシング（11）内に導入されると、この空気中の塵埃はイオン化ユニット（25）により帯電する。帯電した塵埃は、室内熱交換器（20）に付着する。
【００６９】
ここで、冷房運転中の室内熱交換器（20）には凝縮水が発生するため、この凝縮水により、室内熱交換器（20）の表面に付着した塵埃が洗い流され、室内熱交換器（20）の下方に設けられたドレンパン（23）で回収される。回収された凝縮水は、排水管（24）を通って室外に排水される。
【００７０】
イオン化ユニット（25）を経て清浄化された空気は、室内熱交換器（20）を流通する。室内熱交換器（20）では、空気から冷媒の蒸発熱が奪われ、被処理空気の冷却が行われる。以上のようにして清浄化及び温調された空気は、吹出口（13）から室内空間へ供給される。
【００７１】
次に、暖房運転動作について、冷房運転動作と異なる動作のみを説明する。空気調和装置（100）の運転時には、室外熱交換器（51）の内部には低圧の液冷媒が流通し、この室外熱交換器（51）が蒸発器として機能する。
【００７２】
室外熱交換器（51）では凝縮水が発生し、この凝縮水は室外熱交換器（51）の下方に設けられたドレンパン（53）で回収される。回収された凝縮水は、水搬送ポンプ（62）により水搬送配管（61）を通して室内熱交換器（20）に洗浄水として供給される。これにより、暖房運転動作時においても、水供給ユニット（60）によって室内熱交換器（20）に付着した塵埃を除去することができる。
【００７３】
以上のように、本実施形態１に係る空気調和装置（100）によれば、イオン化ユニット（25）により流入空気中の塵埃を帯電させると、帯電した塵埃が室内熱交換器（20）に電気的に付着し、水供給ユニット（60）で供給される洗浄水により除去される。このため、室内熱交換器（20）で凝縮水が発生しない暖房運転時においても、室内熱交換器（20）に付着した塵埃が除去され、空調性能を確保する上で有利となる。
【００７４】
＜実施形態２＞
図４は本発明の実施形態２に係る空気調和装置の構成を示す概略図である。前記実施形態１との違いは、室外空気中の水分を凝縮させて凝縮水を生成する凝縮水生成ユニットを設けた点であるため、以下、実施形態１と同じ部分については同じ符号を付し、相違点についてのみ説明する。
【００７５】
図４に示すように、空気調和装置（150）の室外機（50）は、室外熱交換器（51）と室外機ファン（52）に加えて、室外空気中の水分を凝縮させて凝縮水を生成する凝縮水生成ユニット（70）を備えている。
【００７６】
前記凝縮水生成ユニット（70）は、図５に示すように、室外空気中の水分を吸着する吸湿部材（71）と、吸湿部材（71）に吸着した水分を脱離させる加熱部（72）と、加熱部（72）で吸湿部材（71）から脱離させた水蒸気を送風により凝縮部（73）に搬送する送風部（74）と、吸湿部材（71）から脱離させた水蒸気を凝縮させて凝縮水を生成する凝縮部（73）とを備えている。
【００７７】
具体的に、前記吸湿部材（71）は、ゼオライトやシリカゲル等の吸湿性材料を円柱状に形成してなり回転軸周りに回転可能なローター構造となっている。吸湿部材（71）は、吸着領域と脱離領域とに区画されており、室外空気が吸湿部材（71）の吸着領域を通過することで、室外空気中の水分が吸湿部材（71）に吸着される。
【００７８】
また、吸湿部材（71）の脱離領域の下方には加熱部（72）が配設され、加熱部（72）により吸湿部材（71）で吸着した水分が吸湿部材（71）から脱離する。
【００７９】
前記加熱部（72）の下方には送風部（74）が配設され、加熱部（72）で吸湿部材（71）から脱離させた水蒸気を送風して凝縮部（73）まで搬送する。凝縮部（73）では、水蒸気を凝縮させて凝縮水を生成する。
【００８０】
前記凝縮水生成ユニット（70）の下方には、凝縮部（73）で生成した凝縮水を回収するドレンパン（54）が設けられている。このドレンパン（54）は、水供給ユニット（60）の水搬送ポンプ（62）に接続されており、凝縮水生成ユニット（70）で生成した凝縮水が、水搬送配管（61）を通して室内熱交換器（20）に洗浄水として供給される。
【００８１】
なお、前記実施形態１では、室外熱交換器（51）で発生した凝縮水を、室外熱交換器（51）の下方に設けられたドレンパン（53）で回収して水供給ユニット（60）に送るようにしていたが、本実施形態２では、室外熱交換器（51）で発生した凝縮水はそのまま排水するようにしている。もちろん、この形態に限定するものではなく、室外熱交換器（51）の下方にドレンパン（53）を設けていても構わない。
【００８２】
以上のように、本実施形態２に係る空気調和装置（150）によれば、凝縮水生成ユニット（70）により室外空気中の水分を凝縮させて生成した凝縮水を洗浄水として室内熱交換器（20）に供給するようにしたから、冷暖房運転中にかかわらず凝縮水を安定的に得ることができる。
【００８３】
＜実施形態３＞
図６は本発明の実施形態３に係る空気調和装置の構成を示す概略図である。前記実施形態２との違いは、室内熱交換器（20）よりも上流側にストリーマ放電を行う放電ユニット（30）を設けた点であるため、以下、実施形態２と同じ部分については同じ符号を付し、相違点についてのみ説明する。
【００８４】
図６に示すように、空気調和装置（200）の室内機（10）の空気流路（15）中には、室内熱交換器（20）よりも空気流れ方向の上流側に放電ユニット（30）が設けられている。この放電ユニット（30）は、室内空気中の被処理成分を分解するためにストリーマ放電を行うものである。ストリーマ放電により空気の絶縁破壊が生じると、空気中で活性種（ラジカル、高速電子、励起分子等）が発生し、他の放電と比較して高活性の活性種を多量に生成することができる。
【００８５】
このように、空気調和装置（200）の空気流路（15）にストリーマ放電を行う放電ユニット（30）を配置すれば、例えばグロー放電やコロナ放電と比較して活性種を多量に生成することができ、この空気調和装置（200）における単位設置スペースあたりの被処理成分の分解性能を向上させて安定した空気浄化効率を得ることができる。
【００８６】
また、水供給ユニット（60）は、凝縮水生成ユニット（70）で生成した凝縮水とともに室外熱交換器（51）で発生した凝縮水を、洗浄水として室内熱交換器（20）に供給するように構成されている。
【００８７】
以上のように、本実施形態３に係る空気調和装置（200）によれば、放電ユニット（30）のストリーマ放電により空気の絶縁破壊が生じると、空気中で活性種（ラジカル、高速電子、励起分子等）が発生し、他の放電と比較して高活性の活性種を多量に生成することができる。これにより、室内熱交換器（20）の除菌が行われるから、室内熱交換器（20）でカビや細菌が繁殖することを抑制する上で有利となる。
【００８８】
＜実施形態４＞
図７は本発明の実施形態４に係る空気調和装置の構成を示す概略図である。前記実施形態３との違いは、室内熱交換器（20）で発生した凝縮水を保管タンク（63）に保管して洗浄水として再利用する点であるため、以下、実施形態３と同じ部分については同じ符号を付し、相違点についてのみ説明する。
【００８９】
図７に示すように、空気調和装置（250）の室外機（50）には、室内熱交換器（20）に供給する洗浄水を保管する保管タンク（63）が設けられている。この保管タンク（63）には、室外熱交換器（51）で発生した凝縮水や凝縮水生成ユニット（70）で生成した凝縮水の他に、室内熱交換器（20）で発生した凝縮水が保管されるようになっている。
【００９０】
ここで、室外熱交換器（51）及び凝縮水生成ユニット（70）の凝縮水は保管タンク（63）内にそのまま保管されるのに対し、室内熱交換器（20）の凝縮水の排水経路は切り替わるようになっている。以下、室内熱交換器（20）の凝縮水の保管動作について説明する。
【００９１】
前記室内熱交換器（20）で発生した凝縮水はドレンパン（23）で回収され、排水管（24）を通って室外に排水される。排水管（24）はその管路途中で２つに分岐しており、保管タンク（63）内の洗浄水の水量に基づいて凝縮水の排水方向が切り替わるようになっている。
【００９２】
具体的に、排水管（24）の分岐点に設けられた排水切替バルブ（64）は、保管タンク（63）内の水位を測定するフロートスイッチ（65）から出力される制御信号に基づいて切り替わるようになっている。すなわち、保管タンク（63）内の水位が規定値よりも低い場合には、保管タンク（63）内の水量が不足していると判断して、排水切替バルブ（64）を切り替えて、室内熱交換器（20）の凝縮水が保管タンク（63）に流入されるようにする。これにより、室内熱交換器（20）の凝縮水は、濾過フィルタ（66）を通過して濾過された後、保管タンク（63）内に保管される。
【００９３】
一方、保管タンク（63）内の水位が規定値よりも高い場合には、保管タンク（63）内に凝縮水をさらに流入させるとあふれ出すおそれがあるため、室内熱交換器（20）の凝縮水の保管タンク（63）内への流入を阻止すべく、排水切替バルブ（64）を切り替えて、室内熱交換器（20）の凝縮水がそのまま室外に排水されるようにする。
【００９４】
そして、前記水搬送配管（61）の管路途中には、清掃切替バルブ（67）が設けられている。この清掃切替バルブ（67）は、水搬送ポンプ（62）により保管タンク（63）から吸い上げた洗浄水を室内熱交換器（20）側に供給するか、又は室内熱交換器（20）の凝縮水が濾過フィルタ（66）を通過する方向と逆方向であるフィルタ清掃方向から、洗浄水を濾過フィルタ（66）に通過させるように切り替えるものである。
【００９５】
具体的に、室内熱交換器（20）から排水される凝縮水には、室内熱交換器（20）に付着した塵埃が含まれているため、凝縮水を保管タンク（63）に保管する前に塵埃を濾過フィルタ（66）で取り除くようにしているが、そのまま放置しておくと、濾過フィルタ（66）が目詰まりして凝縮水が流通しなくなってしまうおそれがある。
【００９６】
そこで、タイマーにより所定時間が経過したことを検知するか、又は濾過フィルタ（66）の汚れ度をセンサ等により検知して、濾過フィルタ（66）の清掃が必要であると判断された場合に、清掃切替バルブ（67）を切り替えて、水搬送ポンプ（62）により吸い上げた洗浄水を濾過フィルタ（66）のフィルタ清掃方向側から供給して洗浄することで、濾過フィルタ（66）に付着した塵埃を除去して清浄度を保つようにしている。
【００９７】
また、前記保管タンク（63）には、保管タンク（63）内の洗浄水中の有害物を分解して保管タンク（63）内の水質を維持すべく、放電により活性種を発生させて洗浄水に供給するプラズマ放電ユニット（68）が設けられている。
【００９８】
以上のように、本実施形態４に係る空気調和装置（250）によれば、室内熱交換器（20）で発生した凝縮水が保管タンク（63）に保管され、保管タンク（63）に保管された凝縮水が洗浄水として室内熱交換器（20）に供給されるから、室内熱交換器（20）で発生した凝縮水を洗浄水として再利用することができる。
【産業上の利用可能性】
【００９９】
以上説明したように、本発明は、室内熱交換器で凝縮水が発生しない暖房運転時においても、室内熱交換器の洗浄を行うことができるという実用性の高い効果が得られることから、きわめて有用で産業上の利用可能性は高い。
【図面の簡単な説明】
【０１００】
【図１】本発明の実施形態１に係る空気調和装置の構成を示す概略図である。
【図２】本実施形態１におけるイオン化ユニットの構成を示す概略図である。
【図３】本実施形態１における水供給ユニットの構成を示す概略図である。
【図４】本実施形態２に係る空気調和装置の構成を示す概略図である。
【図５】本実施形態２における凝縮水生成ユニットの構成を示す概略図である。
【図６】本実施形態３に係る空気調和装置の構成を示す概略図である。
【図７】本実施形態４に係る空気調和装置の構成を示す概略図である。
【符号の説明】
【０１０１】
10    室内機
20    室内熱交換器
25    イオン化ユニット（イオン化手段）
30    放電ユニット（放電手段）
50    室外機
51    室外熱交換器
60    水供給ユニット（水供給手段）
61    水搬送配管
62    水搬送ポンプ
63    保管タンク
70    凝縮水生成ユニット（凝縮水生成手段）
71    吸湿部材
72    加熱部（加熱手段）
73    凝縮部（凝縮手段）
100    空気調和装置
【図１】
2007178099.tif 000003
【図２】
2007178099.tif 000004
【図３】
2007178099.tif 000005
【図４】
2007178099.tif 000006
【図５】
2007178099.tif 000007
【図６】
2007178099.tif 000008
【図７】
2007178099.tif 000009
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
室内熱交換器（20）を有する室内機（10）と、室外熱交換器（51）を有する室外機（50）とを備えた空気調和装置であって、
前記室内熱交換器（20）の上流側に配設され、流入空気中の塵埃を該室内熱交換器（20）に電気的に付着させるべく該塵埃を帯電させるイオン化手段（25）と、
前記室内機（10）外部から洗浄水を導入して該室内熱交換器（20）に供給する水供給手段（60）とを備える一方、
前記室外機（50）には、室外空気中の水分を凝縮させて凝縮水を生成する凝縮水生成手段（70）が設けられ、
前記水供給手段（60）は、前記室外機（50）に設けられて前記凝縮水生成手段（70）で生成した凝縮水を前記洗浄水として保管する保管タンク（63）と、前記洗浄水の流路をなす水搬送配管（61）と、前記保管タンク（63）に保管された前記洗浄水を前記水搬送配管（61）を通して前記室内熱交換器（20）に供給する水搬送ポンプ（62）とを有し、
前記保管タンク（63）には、放電により活性種を発生させて洗浄水に供給するプラズマ放電ユニット（68）が設けられていることを特徴とする空気調和装置。
【請求項２】
請求項１において、
前記凝縮水生成手段（70）は、
室外空気中の水分を吸着する吸湿部材（71）と、
前記吸湿部材（71）に吸着した水分を脱離させる加熱手段（72）と、
前記加熱手段（72）で前記吸湿部材（71）より脱離させた水蒸気を凝縮させて凝縮水を生成する凝縮手段（73）とを有することを特徴とする空気調和装置。
【請求項３】
請求項１において、
前記水供給手段（60）は、前記凝縮水生成手段（70）で生成した凝縮水とともに前記室外熱交換器（51）で発生した凝縮水を、前記洗浄水として前記室内熱交換器（20）に供給するように構成されていることを特徴とする空気調和装置。
【請求項４】
請求項１において、
前記室内熱交換器（20）で発生した凝縮水を洗浄水として前記保管タンク（63）に保管することを特徴とする空気調和装置。
【請求項５】
請求項１において、
前記室内熱交換器（20）は、前記室内機（10）の冷房運転中に、該室内熱交換器（20）で発生する凝縮水により該室内熱交換器（20）に付着した塵埃を除去するように構成される一方、
前記水供給手段（60）は、前記室内機（10）の暖房運転中に、前記洗浄水により前記室内熱交換器（20）に付着した塵埃を除去するように構成されることを特徴とする空気調和装置。
【請求項６】
請求項１において、
前記室内熱交換器（20）の上流側には、放電により活性種を生成する放電手段（30）が配設されていることを特徴とする空気調和装置。
【請求項７】
請求項６において、
前記放電手段（30）は、ストリーマ放電を行うように構成されていることを特徴とする空気調和装置。
【請求項８】
請求項１において、
前記イオン化手段（25）は、放電極（31）と該放電極（31）に対向する対向極（32）とを備え、
前記放電極（31）及び前記対向極（32）は、空気流れ方向に略直交する方向に放電するように配置されていることを特徴とする空気調和装置。
【請求項９】
請求項８において、
前記放電極（31）は、線状に形成されるとともに面状の前記対向極（32）と略平行に配置されていることを特徴とする空気調和装置。
【請求項１０】
請求項１において、
前記水搬送配管（61）は、供給側先端部がノズル形状に形成される一方、前記洗浄水の供給方向が変更可能に構成されていることを特徴とする空気調和装置。
【手続補正２】
【補正対象書類名】明細書
【補正対象項目名】全文
【補正方法】変更
【補正の内容】
【発明の詳細な説明】
【技術分野】
【０００１】
本発明は、室内熱交換器に付着した塵埃を除去するための空気調和装置に関するものである。
【背景技術】
【０００２】
従来より、放電によって空気中の塵埃を荷電し、下流側にある室内熱交換器を接地することにより、帯電した塵埃を室内熱交換器に付着させて処理空気中から塵埃を除去し、この付着した塵埃を室内熱交換器で発生する凝縮水で洗い流すという構造の空気調和装置が知られている（例えば、特許文献１参照）。
【特許文献１】特開平１０−２２７４７７号公報
【発明の開示】
【発明が解決しようとする課題】
【０００３】
しかしながら、従来の空気調和装置では、暖房運転時には室内熱交換器で凝縮水が発生しないため、凝縮水による室内熱交換器の洗浄を行うことができず、室内熱交換器に塵埃が蓄積して空気調和装置の空調性能や省エネ性が損なわれるおそれがあった。
【０００４】
また、塵埃の中に存在するカビや細菌が増殖・飛散し、逆に処理空気を汚染してしまうというおそれがあった。
【０００５】
本発明は、かかる点に鑑みてなされたものであり、その目的は、室内熱交換器で凝縮水が発生しない暖房運転時においても、室内熱交換器の洗浄を行うことができるようにすることにある。
【課題を解決するための手段】
【０００６】
前記の目的を達成するため、本発明では、室内熱交換器（20）に付着した塵埃を除去する洗浄水を該室内熱交換器（20）に供給する水供給手段（60）を設けるようにした。
【０００７】
すなわち、第１の発明は、室内熱交換器（20）を有する室内機（10）と、室外熱交換器（51）を有する室外機（50）とを備えた空気調和装置である。そして、前記室内熱交換器（20）の上流側に配設され、流入空気中の塵埃を該室内熱交換器（20）に電気的に付着させるべく該塵埃を帯電させるイオン化手段（25）と、前記室内機（10）外部から洗浄水を導入して該室内熱交換器（20）に供給する水供給手段（60）とを備えている。
【０００８】
更に、前記室外機（50）には、室外空気中の水分を凝縮させて凝縮水を生成する凝縮水生成手段（70）が設けられている。
【０００９】
その上、前記水供給手段（60）は、前記室外機（50）に設けられて前記凝縮水生成手段（70）で生成した凝縮水を前記洗浄水として保管する保管タンク（63）と、前記洗浄水の流路をなす水搬送配管（61）と、前記保管タンク（63）に保管された前記洗浄水を前記水搬送配管（61）を通して前記室内熱交換器（20）に供給する水搬送ポンプ（62）とを有している。
【００１０】
加えて、前記保管タンク（63）には、放電により活性種を発生させて洗浄水に供給するプラズマ放電ユニット（68）が設けられている。
【００１１】
第１の発明では、イオン化手段（25）により流入空気中の塵埃を帯電させると、帯電した塵埃が室内熱交換器（20）に電気的に付着し、水供給手段（60）で供給される洗浄水により除去される。このため、室内熱交換器（20）で凝縮水が発生しない暖房運転時においても、室内熱交換器（20）に付着した塵埃が除去される。
【００１２】
また、前記凝縮水生成手段（70）により室外空気中の水分を凝縮させて生成した凝縮水が洗浄水として室内熱交換器（20）に供給される。このため、冷暖房運転中にかかわらず洗浄水を安定的に得ることができる。
【００１３】
また、前記保管タンク（63）に洗浄水が保管され、水搬送ポンプ（62）により水搬送配管（61）を通して保管タンク（63）内の洗浄水が室内熱交換器（20）に供給される。
【００１４】
また、前記プラズマ放電ユニット（68）によって保管タンク（63）内の洗浄水中の有害物を分解して保管タンク（63）内の水質を維持する。
【００１５】
第２の発明は、第１の発明において、
前記凝縮水生成手段（70）は、
室外空気中の水分を吸着する吸湿部材（71）と、
前記吸湿部材（71）に吸着した水分を脱離させる加熱手段（72）と、
前記加熱手段（72）で前記吸湿部材（71）より脱離させた水蒸気を凝縮させて凝縮水を生成する凝縮手段（73）とを有することを特徴とするものである。
【００１６】
第２の発明では、吸湿部材（71）で室外空気中の水分が吸着され、加熱手段（72）で吸湿部材（71）に吸着された水分が脱離され、凝縮手段（73）で吸湿部材（71）から脱離した水蒸気が凝縮されて凝縮水が生成される。
【００１７】
第３の発明は、第１の発明において、
前記水供給手段（60）は、前記凝縮水生成手段（70）で生成した凝縮水とともに前記室外熱交換器（51）で発生した凝縮水を、前記洗浄水として前記室内熱交換器（20）に供給するように構成されていることを特徴とするものである。
【００１８】
第３の発明では、凝縮水生成手段（70）で生成された凝縮水とともに室外熱交換器（51）で発生した凝縮水が洗浄水として室内熱交換器（20）に供給される。このため、洗浄水として十分な水量を安定的に得ることができる。
【００１９】
第４の発明は、第１の発明において、
前記室内熱交換器（20）で発生した凝縮水を洗浄水として前記保管タンク（63）に保管する。
【００２０】
第４の発明では、室内熱交換器（20）で発生した凝縮水が保管タンク（63）に保管され、保管タンク（63）に保管された凝縮水が洗浄水として室内熱交換器（20）に供給される。このため、室内熱交換器（20）で発生した凝縮水を洗浄水として再利用することができる。
【００２１】
第５の発明は、第１の発明において、
前記室内熱交換器（20）は、前記室内機（10）の冷房運転中に、該室内熱交換器（20）で発生する凝縮水により該室内熱交換器（20）に付着した塵埃を除去するように構成される一方、
前記水供給手段（60）は、前記室内機（10）の暖房運転中に、前記洗浄水により前記室内熱交換器（20）に付着した塵埃を除去するように構成されることを特徴とするものである。
【００２２】
第５の発明では、室内熱交換器（20）に付着した塵埃が、冷房運転中は室内熱交換器（20）で発生する凝縮水で除去され、暖房運転中は水供給手段（60）から供給される洗浄水で除去される。このため、室内機（10）外部から導入する洗浄水を無駄なく利用することができる。
【００２３】
第６の発明は、第１の発明において、
前記室内熱交換器（20）の上流側には、放電により活性種を生成する放電手段（30）が配設されていることを特徴とするものである。
【００２４】
第６の発明では、室内熱交換器（20）の上流側に放電手段（30）が配設される。このため、室内熱交換器（20）の除菌が行われ、室内熱交換器（20）でカビや細菌が繁殖することを抑制する上で有利となる。
【００２５】
第７の発明は、第６の発明において、
前記放電手段（30）は、ストリーマ放電を行うように構成されていることを特徴とするものである。
【００２６】
第７の発明では、一対の電極の間でストリーマ放電が行われる。このストリーマ放電により空気の絶縁破壊が生じると、空気中で活性種（ラジカル、高速電子、励起分子等）が発生する。ここで、ストリーマ放電は、例えばコロナ放電やグロー放電と比較して活性種の発生領域を高密度且つ広範囲に形成することができる。すなわち、ストリーマ放電は、他の放電と比較して高活性の活性種を多量に生成することができる。従って、放電手段（30）の単位設置スペースあたりの被処理成分の分解効率を向上できる。
【００２７】
第８の発明は、第１の発明において、
前記イオン化手段（25）は、放電極（31）と該放電極（31）に対向する対向極（32）とを備え、
前記放電極（31）及び前記対向極（32）は、空気流れ方向に略直交する方向に放電するように配置されていることを特徴とするものである。
【００２８】
第８の発明では、イオン化手段（25）の放電極（31）及び対向極（32）が空気流れ方向に略直交する方向に放電するように配設される。このため、流入空気中の塵埃が確実に帯電される。
【００２９】
第９の発明は、第８の発明において、
前記放電極（31）は、線状に形成されるとともに面状の前記対向極（32）と略平行に配置されていることを特徴とするものである。
【００３０】
第９の発明では、線状の放電極（31）が面状の対向極（32）に略平行に配置される。このため、空気流入面全体にわたって放電が行われ、より確実に流入空気中の塵埃が帯電される。
【００３１】
第１０の発明は、第１の発明において、
前記水搬送配管（61）は、供給側先端部がノズル形状に形成される一方、前記洗浄水の供給方向が変更可能に構成されていることを特徴とするものである。
【００３２】
第１０の発明では、水搬送配管（61）の供給側先端部がノズル形状に形成される一方、洗浄水の供給方向が変更可能に構成される。このため、洗浄水が室内熱交換器（20）の全面にわたって供給される。
【発明の効果】
【００３３】
本発明によれば、イオン化手段（25）により流入空気中の塵埃を帯電させると、帯電した塵埃が室内熱交換器（20）に電気的に付着し、水供給手段（60）で供給される洗浄水により除去される。このため、室内熱交換器（20）で凝縮水が発生しない暖房運転時においても、室内熱交換器（20）に付着した塵埃が除去され、空調性能を確保する上で有利となる。
【００３４】
また、凝縮水生成手段（70）により室外空気中の水分を凝縮させて生成した凝縮水が洗浄水として室内熱交換器（20）に供給され、冷暖房運転中にかかわらず凝縮水を安定的に得ることができる。
【００３５】
また、保管タンク（63）に洗浄水が保管され、水搬送ポンプ（62）により水搬送配管（61）を通して保管タンク（63）から室内熱交換器（20）に洗浄水が供給される。
【００３６】
また、前記プラズマ放電ユニット（68）によって保管タンク（63）内の洗浄水中の有害物を分解して保管タンク（63）内の水質を維持する。
【００３７】
また、前記第２の発明によれば、吸湿部材（71）で室外空気中の水分が吸着され、加熱手段（72）で吸湿部材（71）に吸着された水分が脱離され、凝縮手段（73）で吸湿部材（71）から脱離した水蒸気が凝縮されることで、洗浄水として利用可能な凝縮水を得ることができる。
【００３８】
また、前記第３の発明によれば、凝縮水生成手段（70）で生成された凝縮水とともに室外熱交換器（51）で発生した凝縮水が洗浄水として室内熱交換器（20）に供給され、洗浄水として十分な水量を安定的に得ることができる。
【００３９】
また、前記第４の発明によれば、室内熱交換器（20）で発生した凝縮水が保管タンク（63）に保管され、保管タンク（63）に保管された凝縮水が洗浄水として室内熱交換器（20）に供給され、室内熱交換器（20）で発生した凝縮水を洗浄水として再利用することができる。
【００４０】
また、前記第５の発明によれば、室内熱交換器（20）に付着した塵埃が、冷房運転中は室内熱交換器（20）で発生する凝縮水で除去され、暖房運転中は水供給手段（60）から供給される洗浄水で除去されるから、室内機（10）外部から導入される洗浄水を無駄なく利用することができる。
【００４１】
また、前記第６の発明によれば、室内熱交換器（20）の上流側に放電手段（30）が配設され、室内熱交換器（20）の除菌が行われるから、室内熱交換器（20）でカビや細菌が繁殖することを抑制する上で有利となる。
【００４２】
また、前記第７の発明によれば、ストリーマ放電により空気の絶縁破壊が生じると、空気中で活性種（ラジカル、高速電子、励起分子等）が発生し、他の放電と比較して高活性の活性種を多量に生成することができる。従って、放電手段（30）の単位設置スペースあたりの被処理成分の分解効率を向上できる。
【００４３】
また、前記第８の発明によれば、イオン化手段（25）の放電極（31）及び対向極（32）が空気流れ方向に略直交する方向に放電するように配設され、流入空気中の塵埃が確実に帯電される。
【００４４】
また、前記第９の発明によれば、線状の放電極（31）が面状の対向極（32）に略平行に配置され、空気流入面全体にわたって放電が行われるようになり、より確実に流入空気中の塵埃が帯電される。
【００４５】
また、前記第１０の発明によれば、水搬送配管（61）の供給側先端部がノズル形状に形成される一方、洗浄水の供給方向が変更可能に構成されるから、洗浄水を室内熱交換器（20）の全面にわたって供給することができる。
【発明を実施するための最良の形態】
【００４６】
以下、本発明の実施形態を図面に基づいて詳細に説明する。尚、本発明の実施形態を説明する前に本発明の前提となる前提技術を説明した後に本発明の実施形態を説明する。また、以下の好ましい実施形態の説明は、本質的に例示に過ぎず、本発明、その適用物或いはその用途を制限することを意図するものでは全くない。
【００４７】
＜前提技術１＞
図１は本発明の前提技術１に係る空気調和装置の構成を示す概略図である。本前提技術１に係る空気調和装置（100）は、室内空間の側壁に取り付けられる、いわゆる壁掛け式のルームエアコンで構成されている。この空気調和装置（100）は、被処理空気としての室内空気の空気調和と清浄とを同時に行う。
【００４８】
図１に示すように、空気調和装置（100）の室内機（10）は、横長で略直方体形状のケーシング（11）を備えている。ケーシング（11）には、吸込口（12）と吹出口（13）とが形成されている。前記吸込口（12）は、室内空気をケーシング（11）内に取り込むための空気の導入口であり、ケーシング（11）の前面側及び上面側にそれぞれ形成されている。
【００４９】
前記吹出口（13）は、室内機（10）で処理した空気をケーシング（11）内から室内空間へ供給する空気の供給口であり、ケーシング（11）の前面側下部から室内に斜め下向きに空気を供給するように形成されている。
【００５０】
前記ケーシング（11）の内部には、前記吸込口（12）から前記吹出口（13）までの間に被処理空気の流れる空気流路（15）が形成されている。この空気流路（15）には、空気の流れの上流側から下流側に向かって順に、イオン化ユニット（25）、室内熱交換器（20）、及びファン（14）が配置されている。
【００５１】
前記イオン化ユニット（25）は、吸込口（12）から取り込まれた空気中の塵埃を放電により帯電させるものであり、帯電された塵埃が室内熱交換器（20）の表面に付着する。
【００５２】
具体的には、図２に示すように、イオン化ユニット（25）は、放電の基端となる放電極（31）と、放電極（31）に対向する対向極（32）とで構成される。
【００５３】
前記放電極（31）は、線状又は棒状に形成され、空気流れ方向と直交する左右方向に延びている。この放電極（31）は、その線径が約０．２ｍｍのタングステン線で構成されている。前記対向極（32）は、板状又は面状に形成され、放電極（31）と略平行に配置されている。このように、放電極（31）と対向極（32）とが上下方向に交互に複数配設されている。
【００５４】
また、イオン化ユニット（25）は、図示しない高圧の直流電源を備えている。直流電源の正極側は、前記放電極（31）と電気的に接続されている。一方、直流電源の負極側（アース側）は、前記対向極（32）と電気的に接続されている。
【００５５】
以上のような構成のイオン化ユニット（25）では、両電極（31,32）に電圧が印加されると、放電極（31）から対向極（32）に向かって放電が行われ、その結果、空気流入面全体に対していわゆる電子のカーテンが生成されることとなり、流入空気中の塵埃を確実に帯電させる上で有利となる。
【００５６】
なお、図２では、室内機（10）の前面側から流入する空気に対して放電するためのイオン化ユニット（25）の配置についてのみ説明し、室内機（10）の上面側から流入する空気に対するイオン化ユニット（25）の配置の説明を省略しているが同様の構成である。
【００５７】
前記室内熱交換器（20）は、室外機（50）と接続されており、冷媒が循環して冷凍サイクルを行う冷媒回路の一部を構成している。この室内熱交換器（20）は、いわゆるフィンアンドチューブ式の空気熱交換器を構成している。
【００５８】
図１に示すように、空気流路（15）には、２台の熱交換器（21,22）が配置されている。第１熱交換器（21）は、空気流路（15）の前面寄りでその上端部が後面側に傾倒した状態で配置されている。第２熱交換器（22）は、空気流路(15）の後面寄りでその上端部が前面側に傾倒した状態で且つ第１熱交換器（21）の上端部と当接するように配置されている。
【００５９】
前記第１及び第２熱交換器（21，22）のそれぞれの下方には、第１及び第２熱交換器（21，22）で発生した凝縮水を受けるドレンパン（23）が設けられている。このドレンパン（23）には、回収した凝縮水を室外に排水する排水管（24）が接続されている。
【００６０】
前記ファン（14）は、回転動作により室内空気を吸込口（12）からケーシング（11）内に取り込み、室内熱交換器（20）で処理した空気を吹出口（13）から室内空間へ供給するためのものである。
【００６１】
前記空気調和装置（100）の室外機（50）は、室外熱交換器（51）と室外機ファン（52）とを備えている。
【００６２】
前記室外熱交換器（51）の下方には、室外熱交換器（51）で発生した凝縮水を受けるドレンパン（53）が設けられている。このドレンパン（53）には、室内熱交換器（20）に洗浄水を供給する水供給ユニット（60）が接続されている。
【００６３】
前記水供給ユニット（60）は、洗浄水の流路をなす水搬送配管（61）と、室外熱交換器（51）で発生した凝縮水を、水搬送配管（61）を通して室内熱交換器（20）に洗浄水として供給する水搬送ポンプ（62）とを備えている。
【００６４】
前記水搬送配管（61）の供給側先端部は、ノズル形状に形成される一方、洗浄水の供給方向が変更可能に構成されている。このような構成にすれば、ノズルから洗浄水がシャワー状に噴霧され、室内熱交換器（20）の表面全体に洗浄水を供給することができる。さらに、洗浄水の供給方向が変更可能となっていることから、ノズルを首振りさせる等、多様な動きにより室内熱交換器（20）の表面全体に洗浄水を供給する上で有利となる。
【００６５】
なお、図３に示すように、前記水供給ユニット（60）は、凝縮水を一時保管するための保管タンク（63）を備えた構成にしても構わない。この場合には、一定量の凝縮水がたまった後に、水搬送ポンプ（62）により保管タンク（63）から取り出された凝縮水が洗浄水として室内熱交換器（20）に供給される。
【００６６】
−運転動作−
次に、本前提技術の空気調和装置（100）の運転動作について説明する。まず、空気調和装置（100）の冷房運転動作について説明する。
【００６７】
図１に示すように、空気調和装置（100）の運転時には、ファン（14）が運転状態となる。また、直流電源からイオン化ユニット（25）に直流電圧が印加され、イオン化ユニット（25）で放電が行われる。さらに、室内熱交換器（20）の内部には低圧の液冷媒が流通し、この室内熱交換器（20）が蒸発器として機能する。
【００６８】
室内空気が吸込口（12）からケーシング（11）内に導入されると、この空気中の塵埃はイオン化ユニット（25）により帯電する。帯電した塵埃は、室内熱交換器（20）に付着する。
【００６９】
ここで、冷房運転中の室内熱交換器（20）には凝縮水が発生するため、この凝縮水により、室内熱交換器（20）の表面に付着した塵埃が洗い流され、室内熱交換器（20）の下方に設けられたドレンパン（23）で回収される。回収された凝縮水は、排水管（24）を通って室外に排水される。
【００７０】
イオン化ユニット（25）を経て清浄化された空気は、室内熱交換器（20）を流通する。室内熱交換器（20）では、空気から冷媒の蒸発熱が奪われ、被処理空気の冷却が行われる。以上のようにして清浄化及び温調された空気は、吹出口（13）から室内空間へ供給される。
【００７１】
次に、暖房運転動作について、冷房運転動作と異なる動作のみを説明する。空気調和装置（100）の運転時には、室外熱交換器（51）の内部には低圧の液冷媒が流通し、この室外熱交換器（51）が蒸発器として機能する。
【００７２】
室外熱交換器（51）では凝縮水が発生し、この凝縮水は室外熱交換器（51）の下方に設けられたドレンパン（53）で回収される。回収された凝縮水は、水搬送ポンプ（62）により水搬送配管（61）を通して室内熱交換器（20）に洗浄水として供給される。これにより、暖房運転動作時においても、水供給ユニット（60）によって室内熱交換器（20）に付着した塵埃を除去することができる。
【００７３】
以上のように、本前提技術１に係る空気調和装置（100）によれば、イオン化ユニット（25）により流入空気中の塵埃を帯電させると、帯電した塵埃が室内熱交換器（20）に電気的に付着し、水供給ユニット（60）で供給される洗浄水により除去される。このため、室内熱交換器（20）で凝縮水が発生しない暖房運転時においても、室内熱交換器（20）に付着した塵埃が除去され、空調性能を確保する上で有利となる。
【００７４】
＜前提技術２＞
図４は本発明の前提技術２に係る空気調和装置の構成を示す概略図である。前記前提技術１との違いは、室外空気中の水分を凝縮させて凝縮水を生成する凝縮水生成ユニットを設けた点であるため、以下、前提技術１と同じ部分については同じ符号を付し、相違点についてのみ説明する。
【００７５】
図４に示すように、空気調和装置（150）の室外機（50）は、室外熱交換器（51）と室外機ファン（52）に加えて、室外空気中の水分を凝縮させて凝縮水を生成する凝縮水生成ユニット（70）を備えている。
【００７６】
前記凝縮水生成ユニット（70）は、図５に示すように、室外空気中の水分を吸着する吸湿部材（71）と、吸湿部材（71）に吸着した水分を脱離させる加熱部（72）と、加熱部（72）で吸湿部材（71）から脱離させた水蒸気を送風により凝縮部（73）に搬送する送風部（74）と、吸湿部材（71）から脱離させた水蒸気を凝縮させて凝縮水を生成する凝縮部（73）とを備えている。
【００７７】
具体的に、前記吸湿部材（71）は、ゼオライトやシリカゲル等の吸湿性材料を円柱状に形成してなり回転軸周りに回転可能なローター構造となっている。吸湿部材（71）は、吸着領域と脱離領域とに区画されており、室外空気が吸湿部材（71）の吸着領域を通過することで、室外空気中の水分が吸湿部材（71）に吸着される。
【００７８】
また、吸湿部材（71）の脱離領域の下方には加熱部（72）が配設され、加熱部（72）により吸湿部材（71）で吸着した水分が吸湿部材（71）から脱離する。
【００７９】
前記加熱部（72）の下方には送風部（74）が配設され、加熱部（72）で吸湿部材（71）から脱離させた水蒸気を送風して凝縮部（73）まで搬送する。凝縮部（73）では、水蒸気を凝縮させて凝縮水を生成する。
【００８０】
前記凝縮水生成ユニット（70）の下方には、凝縮部（73）で生成した凝縮水を回収するドレンパン（54）が設けられている。このドレンパン（54）は、水供給ユニット（60）の水搬送ポンプ（62）に接続されており、凝縮水生成ユニット（70）で生成した凝縮水が、水搬送配管（61）を通して室内熱交換器（20）に洗浄水として供給される。
【００８１】
なお、前記前提技術１では、室外熱交換器（51）で発生した凝縮水を、室外熱交換器（51）の下方に設けられたドレンパン（53）で回収して水供給ユニット（60）に送るようにしていたが、本前提技術２では、室外熱交換器（51）で発生した凝縮水はそのまま排水するようにしている。もちろん、この形態に限定するものではなく、室外熱交換器（51）の下方にドレンパン（53）を設けていても構わない。
【００８２】
以上のように、本前提技術２に係る空気調和装置（150）によれば、凝縮水生成ユニット（70）により室外空気中の水分を凝縮させて生成した凝縮水を洗浄水として室内熱交換器（20）に供給するようにしたから、冷暖房運転中にかかわらず凝縮水を安定的に得ることができる。
【００８３】
＜前提技術３＞
図６は本発明の前提技術３に係る空気調和装置の構成を示す概略図である。前記前提技術２との違いは、室内熱交換器（20）よりも上流側にストリーマ放電を行う放電ユニット（30）を設けた点であるため、以下、前提技術２と同じ部分については同じ符号を付し、相違点についてのみ説明する。
【００８４】
図６に示すように、空気調和装置（200）の室内機（10）の空気流路（15）中には、室内熱交換器（20）よりも空気流れ方向の上流側に放電ユニット（30）が設けられている。この放電ユニット（30）は、室内空気中の被処理成分を分解するためにストリーマ放電を行うものである。ストリーマ放電により空気の絶縁破壊が生じると、空気中で活性種（ラジカル、高速電子、励起分子等）が発生し、他の放電と比較して高活性の活性種を多量に生成することができる。
【００８５】
このように、空気調和装置（200）の空気流路（15）にストリーマ放電を行う放電ユニット（30）を配置すれば、例えばグロー放電やコロナ放電と比較して活性種を多量に生成することができ、この空気調和装置（200）における単位設置スペースあたりの被処理成分の分解性能を向上させて安定した空気浄化効率を得ることができる。
【００８６】
また、水供給ユニット（60）は、凝縮水生成ユニット（70）で生成した凝縮水とともに室外熱交換器（51）で発生した凝縮水を、洗浄水として室内熱交換器（20）に供給するように構成されている。
【００８７】
以上のように、本前提技術３に係る空気調和装置（200）によれば、放電ユニット（30）のストリーマ放電により空気の絶縁破壊が生じると、空気中で活性種（ラジカル、高速電子、励起分子等）が発生し、他の放電と比較して高活性の活性種を多量に生成することができる。これにより、室内熱交換器（20）の除菌が行われるから、室内熱交換器（20）でカビや細菌が繁殖することを抑制する上で有利となる。
【００８８】
＜実施形態＞
図７は本発明の実施形態に係る空気調和装置の構成を示す概略図である。前記前提技術３との違いは、室内熱交換器（20）で発生した凝縮水を保管タンク（63）に保管して洗浄水として再利用する点であるため、以下、前提技術３と同じ部分については同じ符号を付し、相違点についてのみ説明する。
【００８９】
図７に示すように、空気調和装置（250）の室外機（50）には、室内熱交換器（20）に供給する洗浄水を保管する保管タンク（63）が設けられている。この保管タンク（63）には、室外熱交換器（51）で発生した凝縮水や凝縮水生成ユニット（70）で生成した凝縮水の他に、室内熱交換器（20）で発生した凝縮水が保管されるようになっている。
【００９０】
ここで、室外熱交換器（51）及び凝縮水生成ユニット（70）の凝縮水は保管タンク（63）内にそのまま保管されるのに対し、室内熱交換器（20）の凝縮水の排水経路は切り替わるようになっている。以下、室内熱交換器（20）の凝縮水の保管動作について説明する。
【００９１】
前記室内熱交換器（20）で発生した凝縮水はドレンパン（23）で回収され、排水管（24）を通って室外に排水される。排水管（24）はその管路途中で２つに分岐しており、保管タンク（63）内の洗浄水の水量に基づいて凝縮水の排水方向が切り替わるようになっている。
【００９２】
具体的に、排水管（24）の分岐点に設けられた排水切替バルブ（64）は、保管タンク（63）内の水位を測定するフロートスイッチ（65）から出力される制御信号に基づいて切り替わるようになっている。すなわち、保管タンク（63）内の水位が規定値よりも低い場合には、保管タンク（63）内の水量が不足していると判断して、排水切替バルブ（64）を切り替えて、室内熱交換器（20）の凝縮水が保管タンク（63）に流入されるようにする。これにより、室内熱交換器（20）の凝縮水は、濾過フィルタ（66）を通過して濾過された後、保管タンク（63）内に保管される。
【００９３】
一方、保管タンク（63）内の水位が規定値よりも高い場合には、保管タンク（63）内に凝縮水をさらに流入させるとあふれ出すおそれがあるため、室内熱交換器（20）の凝縮水の保管タンク（63）内への流入を阻止すべく、排水切替バルブ（64）を切り替えて、室内熱交換器（20）の凝縮水がそのまま室外に排水されるようにする。
【００９４】
そして、前記水搬送配管（61）の管路途中には、清掃切替バルブ（67）が設けられている。この清掃切替バルブ（67）は、水搬送ポンプ（62）により保管タンク（63）から吸い上げた洗浄水を室内熱交換器（20）側に供給するか、又は室内熱交換器（20）の凝縮水が濾過フィルタ（66）を通過する方向と逆方向であるフィルタ清掃方向から、洗浄水を濾過フィルタ（66）に通過させるように切り替えるものである。
【００９５】
具体的に、室内熱交換器（20）から排水される凝縮水には、室内熱交換器（20）に付着した塵埃が含まれているため、凝縮水を保管タンク（63）に保管する前に塵埃を濾過フィルタ（66）で取り除くようにしているが、そのまま放置しておくと、濾過フィルタ（66）が目詰まりして凝縮水が流通しなくなってしまうおそれがある。
【００９６】
そこで、タイマーにより所定時間が経過したことを検知するか、又は濾過フィルタ（66）の汚れ度をセンサ等により検知して、濾過フィルタ（66）の清掃が必要であると判断された場合に、清掃切替バルブ（67）を切り替えて、水搬送ポンプ（62）により吸い上げた洗浄水を濾過フィルタ（66）のフィルタ清掃方向側から供給して洗浄することで、濾過フィルタ（66）に付着した塵埃を除去して清浄度を保つようにしている。
【００９７】
また、前記保管タンク（63）には、保管タンク（63）内の洗浄水中の有害物を分解して保管タンク（63）内の水質を維持すべく、放電により活性種を発生させて洗浄水に供給するプラズマ放電ユニット（68）が設けられている。
【００９８】
以上のように、本実施形態に係る空気調和装置（250）によれば、室内熱交換器（20）で発生した凝縮水が保管タンク（63）に保管され、保管タンク（63）に保管された凝縮水が洗浄水として室内熱交換器（20）に供給されるから、室内熱交換器（20）で発生した凝縮水を洗浄水として再利用することができる。
【産業上の利用可能性】
【００９９】
以上説明したように、本発明は、室内熱交換器で凝縮水が発生しない暖房運転時においても、室内熱交換器の洗浄を行うことができるという実用性の高い効果が得られることから、きわめて有用で産業上の利用可能性は高い。
【図面の簡単な説明】
【０１００】
【図１】本発明の前提技術１に係る空気調和装置の構成を示す概略図である。
【図２】本前提技術１におけるイオン化ユニットの構成を示す概略図である。
【図３】本前提技術１における水供給ユニットの構成を示す概略図である。
【図４】前提技術１に係る空気調和装置の構成を示す概略図である。
【図５】前提技術２における凝縮水生成ユニットの構成を示す概略図である。
【図６】前提技術３に係る空気調和装置の構成を示す概略図である。
【図７】本発明の実施形態に係る空気調和装置の構成を示す概略図である。
【符号の説明】
【０１０１】
10    室内機
20    室内熱交換器
25    イオン化ユニット（イオン化手段）
30    放電ユニット（放電手段）
50    室外機
51    室外熱交換器
60    水供給ユニット（水供給手段）
61    水搬送配管
62    水搬送ポンプ
63    保管タンク
70    凝縮水生成ユニット（凝縮水生成手段）
71    吸湿部材
72    加熱部（加熱手段）
73    凝縮部（凝縮手段）
100    空気調和装置